(57)【要約】【課題】排出トレイに排出された原稿のスタック性を向上させるとともに、排出トレイにスタックされた原稿がＡＤＦ装置の下方に巻き込まれた状態でＡＤＦ装置を閉じた場合でも原稿にダメージが発生することを防止できる画像読取装置を提供する。【解決手段】原稿自動搬送装置１８を開いた拍子に、排出トレイ２２にスタックされた原稿が原稿自動搬送装置１８の下方に巻き込まれた状態で、原稿自動搬送装置１８を画像読取装置本体１２に対して閉じた場合には、原稿自動搬送装置１８の下方に巻き込まれた原稿の一部が原稿自動搬送装置１８とリブ２４との間で挟まれることがあるが、原稿自動搬送装置１８の下方に巻き込まれた原稿の一部はリブ２４の上り傾斜部２４Ａ上に接触することになる。この結果、原稿の一部に大きなせん断力が作用することがないため、原稿に大きなダメージが発生することを防止できる。【選択図】      図５
2008030870.tif 000002
【特許請求の範囲】
【請求項１】
原稿の情報を読み取る情報読取部位が設けられた画像読取装置本体と、前記画像読取装置本体に対して開閉可能に設けられ原稿を前記情報読取部位に供給する原稿自動搬送装置と、原稿の排出方向に延びるリブが形成され前記原稿自動搬送装置により前記情報読取部位に供給された原稿が排出される排出部と、を有する画像読取装置であって、
前記リブの前記原稿自動搬送装置側の端部には、原稿の排出方向上流側から排出方向下流側に向かって上り傾斜した上り傾斜部が形成されていることを特徴とする画像読取装置。
【請求項２】
前記リブの前記原稿自動搬送装置側と反対側の端部には、原稿の排出方向上流側から排出方向下流側に向かって下り傾斜した下り傾斜部が形成されていることを特徴とする請求項１に記載の画像読取装置。
【請求項３】
前記上り傾斜部の傾斜角度は、前記原稿自動搬送装置から排出される原稿の排出方向に対して５度以上４５度以下であることを特徴とする請求項１又は２に記載の画像読取装置。
【発明の詳細な説明】
【技術分野】
【０００１】
本発明は、原稿の情報を読み取る画像読取装置に係り、特に原稿を情報読取部位に自動的に搬送するＡＤＦ装置（原稿自動搬送装置）を備えた画像読取装置に関する。
【背景技術】
【０００２】
従来の画像読取装置の中には、原稿を情報読取部位に自動的に搬送するＡＤＦ装置（原稿自動搬送装置）を備えたものがある。この種の画像読取装置によれば、給紙トレイに原稿を載せてスタートボタンを押すと、原稿はＡＤＦ装置の内部に繰り出され情報読取部位に供給され、その後、給紙トレイの下方に形成された排出トレイ上に排出される。これにより、原稿に記載された情報が読み取られる。
【０００３】
ここで、上記画像読取装置では、ＡＤＦ装置の内部で原稿が紙詰まり（ジャム）することなどがあるため、ＡＤＦ装置を情報読取部位に対して開閉することができるように設定されている。また、排出トレイ上であってＡＤＦ装置近傍には、ＡＤＦ装置から排出された原稿のスタック性を高めるために複数のリブが形成されている。このリブのＡＤＦ装置側には、排出トレイ面に対して略９０度で立ち上がる垂直端部が形成されている。
【特許文献１】特開平９−２５５２１０号公報
【発明の開示】
【発明が解決しようとする課題】
【０００４】
ところで、原稿を読み取る読取手段として、搬送された原稿を読み取るＡＤＦ装置のみが設けられたＰＰＦ（Ｐｌａｉｎ  Ｐａｐｅｒ  Ｆａｃｓｉｍｉｌｅ）機においては、ＡＤＦ装置の内部に原稿が供給されてジャムが発生した場合に、ＡＤＦ装置を情報読取部位に対して開き、原稿を取り除くことになるが、このとき、排出トレイにスタックされている原稿が、ＡＤＦ装置を開いた拍子にＡＤＦ装置の下方に巻き込まれ、その状態で、ＡＤＦ装置を閉じたときに、原稿の一部がＡＤＦ装置とリブの垂直端部とで挟まれて、原稿が破損したり、あるいは原稿にしわが発生したりする問題がある。
【０００５】
そこで、本発明は、上記事情を考慮し、排出トレイに排出された原稿のスタック性を向上させるとともに、排出トレイにスタックされた原稿がＡＤＦ装置の下方に巻き込まれた状態でＡＤＦ装置を閉じた場合でも原稿にダメージが発生することを防止できる画像読取装置を提供することを目的とする。
【課題を解決するための手段】
【０００６】
請求項１に記載の発明は、原稿の情報を読み取る情報読取部位が設けられた画像読取装置本体と、前記画像読取装置本体に対して開閉可能に設けられ原稿を前記情報読取部位に供給する原稿自動搬送装置と、原稿の排出方向に延びるリブが形成され前記原稿自動搬送装置により前記情報読取部位に供給された原稿が排出される排出部と、を有する画像読取装置であって、前記リブの前記原稿自動搬送装置側の端部には、原稿の排出方向上流側から排出方向下流側に向かって上り傾斜した上り傾斜部が形成されていることを特徴とする。
【０００７】
請求項２に記載の発明は、請求項１に記載の画像読取装置において、前記リブの前記原稿自動搬送装置側と反対側の端部には、原稿の排出方向上流側から排出方向下流側に向かって下り傾斜した下り傾斜部が形成されていることを特徴とする。
【０００８】
請求項３に記載の発明は、請求項１又は２に記載の画像読取装置において、前記上り傾斜部の傾斜角度は、前記原稿自動搬送装置から排出される原稿の排出方向に対して５度以上４５度以下であることを特徴とする。
【発明の効果】
【０００９】
請求項１に記載の発明によれば、原稿が原稿自動搬送装置により画像読取装置本体の情報読取部位に供給されて、原稿の情報が読み取られる。そして、情報が読み取られた原稿は、原稿自動搬送装置により排出部に排出される。ここで、排出部には原稿の排出方向に延びるリブが形成されているが、このリブの原稿自動搬送装置側の端部には原稿の排出方向上流側から排出方向下流側に向かって上り傾斜した上り傾斜部が形成されている。このため、原稿自動搬送装置を開いた拍子に、原稿が原稿自動搬送装置の下方に巻き込まれた状態で、原稿自動搬送装置を画像読取装置本体に対して閉じた場合には、原稿自動搬送装置の下方に巻き込まれた原稿の一部はリブの上り傾斜部上に接触することになる。この結果、原稿の一部に大きなせん断力が作用することがないため、原稿に大きなダメージが発生することを防止できる。また、リブの原稿自動搬送装置側の端部に上り傾斜部を形成したことにより、原稿を排出部に円滑に排出させることができ、原稿のスタック性を向上させることができる。
【００１０】
請求項２に記載の発明によれば、リブの原稿自動搬送装置側と反対側の端部には、原稿の排出方向上流側から排出方向下流側に向かって下り傾斜した下り傾斜部が形成されているため、原稿自動搬送装置により排出された原稿は、リブの下り傾斜部に導かれて排出部上に排出される。これにより、複数枚の原稿の情報を読み取る場合においても、原稿のスタック性を向上させることができる。
【００１１】
請求項３に記載の発明によれば、上り傾斜部の傾斜角度は原稿自動搬送装置から排出される原稿の排出方向に対して５度以上４５度以下であることが好ましい。逆に、上り傾斜部の傾斜角度が４５度よりも大きくなると、原稿自動搬送装置を閉じたときに原稿にダメージが発生することがあるため、不適である。
【発明を実施するための最良の形態】
【００１２】
次に、本発明の一実施形態に係る画像読取装置について、図面を参照して説明する。本実施形形態では、フラットベットを有しないＰＰＦ型の画像読取装置を一例に挙げて説明する。また、本実施形態の画像読取装置として、例えば、複写機、プリンタ、ファクシミリなどが一例として挙げられる。
【００１３】
図１及び図２に示すように、画像読取装置１０は、原稿に記載された画情報を読み取る画像読取装置本体１２を備えている。また、画像読取装置本体１２の上部には、ガラスで構成され原稿の画情報を読み取る部位である情報読取部位１４が形成されている。また、画像読取装置本体１２には、原稿の画情報の読み取りを開始させるためのスタートボタンなどを有する操作部１６が設けられている。
【００１４】
また、画像読取装置本体１２の上部には、原稿自動搬送装置１８が画像読取装置本体１２に対して開閉自在に取り付けられている。この原稿自動搬送装置１８を画像読取装置本体１２に対して開けることにより、情報読取部位１４が外部に露出するように構成されている。
【００１５】
また、画像読取装置本体１２の上部であってかつ原稿自動搬送装置１８の原稿給紙口の近傍には、給紙トレイ２０が原稿自動搬送装置１８とは独立して設けられている。この給紙トレイ２０の上面に原稿がセットされ、スタートボタンが押されると、給紙トレイ２０の上面にセットされた原稿が１枚ずつ原稿自動搬送装置１８の内部に繰り出され、情報読取部位１４に供給されていく。
【００１６】
また、画像読取装置本体１２の上部であって原稿自動搬送装置１８の原稿給紙口の近傍かつ給紙トレイ２０の下方には、排出トレイ（排出部）２２が形成されている。この排出トレイ２２には、原稿自動搬送装置１８により情報読取部位１４に供給された原稿が排出されていく。
【００１７】
ここで、図３乃至図５に示すように、排出トレイ２２の上面には、リブ２４が原稿の幅方向にわたって複数形成されている。各リブ２４は、全て略同じ形状となるように設定されている。
【００１８】
このリブ２４は、原稿の搬送方向（排出方向）にわたって延在するように形成されている。すなわち、図５及び図６に示すように、リブ２４は、原稿自動搬送装置１８側に位置する上り傾斜部２４Ａと、原稿自動搬送装置１８側と原稿排出方向反対側に位置する下り傾斜部２４Ｂと、を有している。リブ２４の上り傾斜部２４Ａは、原稿自動搬送装置１８の原稿排出口の近傍に位置しており、原稿の排出方向上流側から排出方向下流側に向かって上り傾斜している。この上り傾斜部２４Ａの排出トレイ２２の上面（水平面）に対する傾斜角度αは、５度以上４５度以下となるように設定されている。このため、リブ２４は、原稿自動搬送装置１８側からみると、滑らかに立ち上がるように形成されている。また、リブ２４の下り傾斜部２４Ｂは、原稿の排出方向上流側から排出方向下流側に向かって下り傾斜している。
【００１９】
次に、本実施形態の画像読取装置１０の作用について説明する。
【００２０】
図１に示すように、給紙トレイ２０上の原稿が原稿自動搬送装置１８により画像読取装置本体１２の情報読取部位１４に供給されて、原稿の情報が読み取られる。そして、情報が読み取られた原稿は、排出トレイ２２に排出される。
【００２１】
ここで、図３及び図４に示すように、排出トレイ２２には原稿の排出方向に延びる複数のリブ２４がそれぞれ形成されているが、図５及び図６に示すように、各リブ２４の原稿自動搬送装置側の端部には原稿の排出方向上流側から排出方向下流側に向かって上り傾斜した上り傾斜部２４Ａが形成されている。このため、原稿自動搬送装置１８を開いた拍子に、排出トレイ２２にスタックされた原稿が原稿自動搬送装置１８の下方に巻き込まれた状態で、原稿自動搬送装置１８を画像読取装置本体１２に対して閉じた場合には、原稿自動搬送装置１８の下方に巻き込まれた原稿の一部が原稿自動搬送装置１８とリブ２４との間で挟まれることがあるが、原稿自動搬送装置１８の下方に巻き込まれた原稿の一部はリブ２４の上り傾斜部２４Ａ上に接触することになる。この結果、原稿の一部に大きなせん断力が作用することがないため、原稿に大きなダメージが発生することを防止できる。また、リブ２４の原稿自動搬送装置側の端部に上り傾斜部２４Ａを形成したことにより、原稿を排出トレイ２２上に円滑に排出させることができ、原稿のスタック性を向上させることができる。
【００２２】
特に、図６に示すように、各リブ２４の上り傾斜部２４Ａの傾斜角度αは、５度以上４５度以下であるため、原稿自動搬送装置１８を閉じたときに原稿にダメージが発生することがなくなるとともに、原稿を排出トレイ２２上に排出させる際に原稿を円滑に導くことができ、ひいては原稿のスタック性を向上させることができる。なお、図６中の一点鎖線は、原稿が排出される際の排出方向に対して平行な仮想線を意味する。
【００２３】
なお、原稿自動搬送装置１８から排出された原稿は、リブ２４の下り傾斜部２４Ｂに導かれて排出トレイ２２上の所定の部位に排出される。これにより、原稿自動搬送装置１８により排出トレイ２２上に排出された原稿は、排出トレイ２２上の全て同じ部位に誘導されるため、複数枚の原稿の情報を読み取る場合においても、原稿のスタック性を向上させることができる。
【図面の簡単な説明】
【００２４】
【図１】本発明の一実施形態に係る画像読取装置の斜視図である。
【図２】本発明の一実施形態に係る画像読取装置のＡＤＦ装置を画像読取装置本体に対して開けた状態を示す斜視図である。
【図３】本発明の一実施形態に係る画像読取装置の要部を示した斜視図である。
【図４】本発明の一実施形態に係る画像読取装置の要部を図３とは別の角度から示した斜視図である。
【図５】本発明の一実施形態に係る画像読取装置の要部を示した断面図である。
【図６】本発明の一実施形態に係る画像読取装置のリブの拡大図である。
【符号の説明】
【００２５】
１０        画像読取装置
１２        画像読取装置本体
１４        情報読取部位
１８        原稿自動搬送装置
２２        排出トレイ（排出部）
２４        リブ
２４Ａ      上り傾斜部
２４Ｂ      下り傾斜部
【図１】
2008030870.tif 000003
【図２】
2008030870.tif 000004
【図３】
2008030870.tif 000005
【図４】
2008030870.tif 000006
【図５】
2008030870.tif 000007
【図６】
2008030870.tif 000008